(57)【要約】【課題】電子部品を収納したトレイを積み重ねるときに、トレイの向きに関係なく積み重ねることができ、積み重ねた後でもトレイの向きを簡単に判別することができる電子部品用トレイセットを提供する。【解決手段】交互に積み重ねて使用する第一トレイと第二トレイとからなり、第一トレイ及び第二トレイは電子部品を収納する収納部と、収納部の周囲に形成された枠部とを備え、収納部は収納面側に電子部品を収納する収納凹部をパターン状に複数個有し、且つ、反収納面側に突出する突起部を有し、第一トレイ及び第二トレイの一方のトレイの枠部には係合凹部が設けられ、もう一方のトレイの枠部には係合凹部に係合する係合凸部が設けられ、第一トレイ及び第二トレイを積み重ねた時に、少なくとも突起部が反収納面側に隣り合うトレイの収納面側の一部に当接するか、又は、係合凹部と係合凸部が係合し合って、積み重ね方向に隣り合う収納部の間に所定間隔の隙間を形成する。【選択図】　図１
2004026175.tif 000002
【特許請求の範囲】
【請求項１】
交互に重ねて使用する第一トレイ及び第二トレイからなり、該第一トレイ及び第二トレイは電子部品を収納する収納部と、該収納部の周囲に形成された枠部とを備え、前記収納部は収納面側に電子部品を収納する収納凹部をパターン状に複数個有し、且つ、反収納面側に突出する突起部を有し、前記第一トレイ及び前記第二トレイの一方のトレイの枠部には係合凹部が設けられ、もう一方のトレイの枠部には該係合凹部に係合する係合凸部が設けられ、前記第一トレイ及び前記第二トレイを積み重ねた時に、少なくとも前記突起部が反収納面側に隣り合うトレイの収納面側の一部に当接するか、又は、前記係合凹部と前記係合凸部が係合し合って、積み重ね方向に隣り合う収納部の間に所定間隔の隙間を形成するように、前記突起部、前記係合凹部及び前記係合凸部が設けられていることを特徴とする電子部品トレイセット
【請求項２】
前記第一トレイの収納部と前記第二トレイの収納部が同一形状の収納凹部及び同一形状の突起部を有していることを特徴とする請求項１に記載の電子部品用トレイセット。
【請求項３】
前記第一トレイの枠部と前記第二トレイの枠部には係合凹部及び係合凸部が設けられ、前記第一トレイ及び前記第二トレイの係合凹部は同一形状であり、且つ、前記第一トレイ及び前記第二トレイの係合凸部は同一形状であることを特徴とする請求項１又は２に記載の電子部品用トレイセット。
【発明の詳細な説明】
【０００１】
【発明の属する技術分野】
本発明は、電子部品を搬送又は保管するときに使用する電子部品用トレイに関するものである。
【０００２】
【従来の技術】
図１５及び図１６は、従来使用されていた電子部品用トレイの使用例を示した説明図である。また、図１７及び図１８は、図１５の断面図であり、図１９及びず２０はず１６の断面図である。このトレイには、電子部品を収納する収納部が複数設けられており、収納部に電子部品を全て収納したトレイは、積載されて搬送されている。
【０００３】
この従来のトレイは、図１５に示されるように向きを同一にして積み重ねると、積み重ねた上のトレイと下のトレイとの間を隙間無く積み重ねることができる。これに対し、図１６に示されるように上のトレイと下のトレイの向きを反転して積み重ねると、下のトレイの収納面と上のトレイの反収納面の間に隙間が形成され、下のトレイに収納した電子部品に上のトレイの反収納面が接触しない構造になっている。
【０００４】
従って、従来のトレイを保管する時には、図１５に示された状態にして収納効率を向上させていた。また、従来のトレイに電子部品を収納するときは、図１６に示された状態にして、電子部品が破損しないようにしていた。
【０００５】
【発明が解決しようとする課題】
しかし、従来の電子部品用トレイは、電子部品を収納して積み重ねる時にトレイの向きを左右に反転させながら交互に積載しないと、積み重ねた時の上のトレイの反収納面が下のトレイの収納面に接触してしまい、電子部品を破損する恐れがある。そこで、電子部品をトレイに収納して積み重ねる時には、トレイの向きを確認して積載する必要が生じるため、作業効率が悪くなるという問題があった。
【０００６】
本発明は、電子部品をトレイに収納した後、トレイを積み重ねる時に、各トレイの左右の向きを注意せずに積み重ねる必要がない、作業効率の良い電子部品用トレイを提供することを目的とする。
【０００７】
【課題を解決するための手段】
上記課題を解決するために本発明に係る電子部品用トレイセットは、交互に重ねて使用する第一トレイ及び第二トレイからなり、第一トレイ及び第二トレイは電子部品を収納する収納部と、収納部の周囲に形成された枠部とを備え、収納部は収納面側に電子部品を収納する収納凹部をパターン状に複数個有し、且つ、反収納面側に突出する突起部を有し、第一トレイ及び第二トレイの一方のトレイの枠部には係合凹部が設けられ、もう一方のトレイの枠部には係合凹部に係合する係合凸部が設けられ、第一トレイ及び第二トレイを積み重ねた時に、少なくとも突起部が反収納面側に隣り合うトレイの収納面側の一部に当接するか、又は、係合凹部と係合凸部が係合し合って、積み重ね方向に隣り合う収納部の間に所定間隔の隙間を形成するように、突起部、係合凹部及び係合凸部が設けられていることを特徴とする。
【０００８】
また、第一トレイの収納部と第二トレイの収納部が同一形状の収納凹部及び同一形状の突起部を有していても良い。
【０００９】
また、第一トレイの枠部と第二トレイの枠部には係合凹部及び係合凸部が設けられ、第一トレイ及び第二トレイの係合凹部は同一形状であり、且つ、第一トレイ及び第二トレイの係合凸部は同一形状であっても良い。
【００１０】
【発明の実施の形態】
本発明に係る電子部品用トレイセット２について、図を参照にしながら説明する。図１及び図２は本発明に係る電子部品用トレイセット２の一使用例を示した説明図である。図３は第一トレイ４の平面を示した説明図であり、図５は第一トレイ４の裏面を示した説明図である。図４は第二トレイ６の平面をを示した説明図であり、図６は第二トレイ６の裏面を示した説明図である。また、図７〜図１０は図１の断面図で、図１１〜図１４は図２の断面図である。なお、これらの図は説明の便宜上のものであって、本発明を何ら限定するものではない。
【００１１】
本発明に係る電子部品用トレイセット２は、第一トレイ４と第二トレイ６とからなり、第一トレイ４と第二トレイ６を交互に積み重ねて使用する。また、第一トレイ４及び第二トレイ６は電子部品を収納する収納部８と、収納部８の周囲に形成された枠部１４とからなる。
【００１２】
本発明に係る収納部８は、収納面側に電子部品を収納する収納凹部１０がパターン状に複数個形成されてなる。収納凹部１０の形状については収納する電子部品の形状などに応じて適宜設定すれば良い。
【００１３】
また、この収納部８には、トレイの反収納面側に突起部１２が設けられている。この突起部１２は、収納面側に設けられた収納凹部１０が反収納面側に突出して設けられたものでも良いし、それとは別に設けられたものでも良い。突起部１２についても、その形状などは特に限定せず適宜設定すれば良い。
【００１４】
第一トレイ４に設けられた収納凹部１０及び突起部１２と、第二トレイ６に設けられた収納凹部１０及び突起部１２は、同一形状であっても良いし、別の形状であっても良い。
【００１５】
次に、第一トレイ４の枠部１４には係合凹部１６が設けられていても良い。また、第二トレイ６の枠部１４にも係合凹部１６が設けられていても良い。また、第一トレイ４及び第二トレイ６のどちらか一方に係合凹部１６が設けられていても良いし、両方に設けられていても良い。
【００１６】
また、第一トレイ４の枠部１４には係合凸部１８が設けられていても良い。また、第二トレイ６の枠部１４にも係合凸部１８が設けられていても良い。また、第一トレイ４及び第二トレイ６のどちらか一方に係合凸部１８が設けられていても良いし、両方に設けられていても良い。
【００１７】
本発明に係る係合凹部１６及び係合凸部１８の形状は、どのような形状であっても良く、図示されている形状でも良い。
【００１８】
ここで、本発明に係る突起部１２、係合凹部１６、係合凸部１８は、第一トレイ４及び第二トレイ６を積み重ねた時に、少なくとも突起部１２が反収納面側に隣り合うトレイの収納面側の一部に当接して積み重ね方向に隣り合う収納部８の間に所定間隔の隙間を形成するか、又は、係合凹部１６と係合凸部１８が係合し合って、積み重ね方向に隣り合う収納部８の間に所定間隔の隙間を形成するように設けられている。
【００１９】
即ち、図１に示された状態では、第一トレイ４と第二トレイ６の収納部８の向きが同一である。この時、第一トレイ４の係合凸部１８が第二トレイ６の係合凹部１６と係合し、第一トレイ４の突起部１２が第二トレイ６の収納部８まで到達しない。
【００２０】
これに対し、図２に示された状態では、第一トレイ４と第二トレイ６の収納部８の向きが逆になっている。この時、第一トレイ４の係合凸部１８と第二トレイ６の係合凹部１６は係合しないが、第一トレイ４の突起部１２が第二トレイ６の収納部８に形成された凸部に接触するため、第一トレイ４の突起部１２が第二トレイ６の収納凹部１０まで到達しない。
【００２１】
従って、本発明に係る電子部品用トレイセット２は、第一トレイ４と第二トレイ６の収納部８をどちらの向きに積み重ねても、下に位置するトレイの収納凹部１０に、上に位置するトレイの部位が接することがないため、電子部品を破損する恐れがない。また、トレイを積み重ねる時に向きを注意する必要がなくなるため、作業効率を上げることができる。
【００２２】
また、係合凹部１６及び係合凸部１８の形成位置としては枠体１４のどの位置に形成されいても良いが、図示されているように係合凹部１６と係合凸部１８を交互に設けるのが良い。これにより、トレイを積み重ねた後でも、各トレイの収納凹部１０の向きを横から見て判断することができる。
【００２３】
即ち、第一トレイ４及び第二トレイ６の収納凹部１０の向きが同一でない場合、図２に示されたように下に位置するトレイの係合凸部１８と上に位置するトレイの係合凸部１８の位置が同一になる。これに対し、第一トレイ４及び第二トレイ６の収納凹部１０の向きが同一であった場合、図１に示されたように下に位置するトレイの係合凸部１８の間に上のトレイの係合凸部１８が位置する。従って、トレイを積み重ねた後でもトレイの収納凹部１０の向きを判断することができる。
【００２４】
【発明の効果】
本発明に係る電子部品用トレイセットは、交互に積み重ねて使用する第一トレイと第二トレイとからなり、第一トレイ及び第二トレイは電子部品を収納する収納部と、収納部の周囲に形成された枠部とを備え、収納部は収納面側に電子部品を収納する収納凹部をパターン状に複数個有し、且つ、反収納面側に突出する突起部を有し、第一トレイ及び第二トレイの一方のトレイの枠部には係合凹部が設けられ、もう一方のトレイの枠部には係合凹部に係合する係合凸部が設けられ、第一トレイ及び第二トレイを積み重ねた時に、少なくとも突起部が反収納面側に隣り合うトレイの収納面側の一部に当接するか、又は、係合凹部と係合凸部が係合し合って、積み重ね方向に隣り合う収納部の間に所定間隔の隙間を形成するため、電子部品を収納したトレイを積み重ねるときに、トレイの収納部の向きに注意することなく積み重ねることができ、作業効率を高めることができる。
【００２５】
また、第一トレイ及び第二トレイに係合凹部及び係合凸部が設けられているため、トレイを積み重ねた後でも、各トレイの収納凹部の向きを横から簡単に判断することができ、過失などを減少することができる。
【図面の簡単な説明】
【図１】本発明に係る電子部品用トレイセットの使用例を示した説明図である。
【図２】本発明に係る電子部品用トレイセットの使用例を示した説明図である。
【図３】本発明に係る第一トレイを示した説明図である。
【図４】本発明に係る第二トレイを示した説明図である。
【図５】本発明に係る第一トレイの裏面を示した説明図である。
【図６】本発明に係る第二トレイの裏面を示した説明図である。
【図７】本発明に係る電子部品用トレイセットのＡ−Ａ線断面図である。
【図８】本発明に係る電子部品用トレイセットのＢ−Ｂ線断面図である。
【図９】本発明に係る電子部品用トレイセットのＣ−Ｃ線断面図である。
【図１０】本発明に係る電子部品用トレイセットのＤ−Ｄ線断面図である。
【図１１】本発明に係る電子部品用トレイセットのＥ−Ｅ線断面図である。
【図１２】本発明に係る電子部品用トレイセットのＦ−Ｆ線断面図である。
【図１３】本発明に係る電子部品用トレイセットのＧ−Ｇ線断面図である。
【図１４】本発明に係る電子部品用トレイセットのＨ−Ｈ線断面図である。
【図１５】従来の電子部品用トレイの使用例を示した説明図である。
【図１６】従来の電子部品用トレイの使用例を示した説明図である。
【図１７】従来の電子部品用トレイのＩ−Ｉ線断面図である。
【図１８】従来の電子部品用トレイのＪ−Ｊ線断面図である。
【図１９】従来の電子部品用トレイのＫ−Ｋ線断面図である。
【図２０】従来の電子部品用トレイのＬ−Ｌ線断面図である。
【符号の説明】
２　　電子部品用トレイセット
４　　第一トレイ
６　　第二トレイ
８　　収納部
１０　収納凹部
１２　突起部
１４　枠部
１６　係合凹部
１８　係合凸部
【図１】
2004026175.tif 000003
【図２】
2004026175.tif 000004
【図３】
2004026175.tif 000005
【図４】
2004026175.tif 000006
【図５】
2004026175.tif 000007
【図６】
2004026175.tif 000008
【図７】
2004026175.tif 000009
【図８】
2004026175.tif 000010
【図９】
2004026175.tif 000011
【図１０】
2004026175.tif 000012
【図１１】
2004026175.tif 000013
【図１２】
2004026175.tif 000014
【図１３】
2004026175.tif 000015
【図１４】
2004026175.tif 000016
【図１５】
2004026175.tif 000017
【図１６】
2004026175.tif 000018
【図１７】
2004026175.tif 000019
【図１８】
2004026175.tif 000020
【図１９】
2004026175.tif 000021
【図２０】
2004026175.tif 000022